(57)【要約】【課題】記録紙などの薄手のシートを片側の固定ガイドに向かってシートを押しつけて皺を発生させることなく搬送して排出皿に排出すること。【解決手段】連続して給紙テーブルからシート３を給紙ローラ４で繰り出した後、駆動ローラからなる搬送用ローラによってこのシート３を搬送し、この搬送用ローラの軸方向の片側に配置した固定ガイドに沿って読取・走査処理９位置に搬送し、読取・走査処理した後、このシートを搬送用ローラによって排出皿１２に排出するシート搬送装置において、前記シート３を搬送する搬送路に配置した複数の前記搬送用ローラの各駆動ローラ７，８，１０，１１の形状を、給紙ローラ４側から排出皿１２にかけて配置した駆動ローラ７，８，１０について前記シート３が搬送されながら固定ガイド１３の側面に対して押圧力がかかるような形状にし、排出皿１２に近接した最後の駆動ローラ１１によって前記シート３を排出するシート搬送装置の構成である。【選択図】    図１
2004161486.tif 000002
【特許請求の範囲】
【請求項１】
連続して給紙テーブルからシートを給紙ローラで繰り出した後、駆動ローラからなる搬送用ローラによってこのシートを搬送し、この搬送用ローラの軸方向の片側に配置した固定ガイドに沿って読取・走査処理位置に搬送し、読取・走査処理した後、このシートを搬送用ローラによって排出部に排出するシート搬送装置において、
前記シートを搬送する搬送路に配置した複数の前記搬送用ローラの各駆動ローラの形状を、給紙ローラ側から排出部にかけて配置した駆動ローラについて前記シートが搬送されながら固定ガイドの側面に対して押圧力がかかるような傾斜状にし、駆動ローラの傾斜角度を２種類以上とし、排出部に近接した最後の駆動ローラによって前記シートを排出することを特徴とするシート搬送装置。
【請求項２】
連続して給紙テーブルからシートを給紙ローラで繰り出した後、駆動ローラからなる搬送用ローラによってこのシートを搬送し、この搬送用ローラの軸方向の片側に配置した固定ガイドに沿って読取・走査処理位置に搬送し、読取・走査処理した後、このシートを搬送ローラによって排出部に排出するシート搬送装置において、
前記シートを搬送する搬送路に配置した複数の前記搬送用ローラのうち、給紙ローラと読取・走査処理位置との間に配置した搬送用ローラの第１駆動ローラと読取・走査処理位置との間に配置した前記第２駆動ローラと第３駆動ローラとの形状を前記前記シートが搬送されながら固定ガイドの側面に対して押圧力がかかるような同一傾斜角度に傾斜せしめた円錐台形とし、前記第１駆動ローラの傾斜角度に対して、第２、第３駆動ローラの傾斜角度を小さくし、排出部に近接した最後の駆動ローラによって前記シートを排出することを特徴とするシート搬送装置。
【請求項３】
前記第１駆動ローラの傾斜角度を６〜８度にし、第２、第３駆動ローラの傾斜角度を３度前後に傾斜した円錐台形にしたことを特徴とした請求項１または請求項２に記載のシート搬送装置。
【請求項４】
前記排出部に近接した第４の駆動ローラの表面形状を軸方向に平行に形成したことを特徴とする請求項１乃至請求項３に記載のシート搬送装置。
【請求項５】
各駆動ローラの幅が８〜１２ｍｍであることを特徴とする請求項１乃至請求項４に記載のシート搬送装置。
【発明の詳細な説明】
【０００１】
【発明の属する技術分野】
この発明は、印刷機、複写機やマークシート読取装置などのカットシートを給紙部から排出部まで片側規制でシートが偏らないように搬送するシート搬送装置に関する。
【０００２】
【従来の技術】
従来、複写装置、読み取り装置，光学式文字読み取り装置（ＯＭＲ，ＯＣＲ）等において、数百枚の記録紙、複写紙や記入シートのシートを給紙部の積重状態から一枚毎高速で読取・走査処理位置まで搬送し、処理後排出部に搬送することが行われている。このシートを一枚づつ給紙台から給紙する搬送用ローラとしてシートの搬送方向に直交する幅と同じ幅の一対（従動ローラ、駆動ローラ）の搬送用ローラでシートを挟持しながら搬送するのが一般的に行われている。また、シートの搬送路に配置した上下二枚の案内ガイド間にシートを搬送し、下案内ガイドの搬送穴から露呈した駆動ローラによって搬送するものもある。
【０００３】
このようなシート搬送において、これら搬送用ローラによるシートに対する押圧力がローラ巾全体で均一ではないためにシートが斜めに搬送されることがあり、そのためシートと検知センサーとの関係が一定にならず、センサーの誤作動を起こすことになっていた。このような斜搬送を防止するために搬送用ローラの駆動ローラの形状を、両端の直径が中心部の直径より小さくしたり、一端の直径を他端の直径より小さくし、シートの片側を側壁に押圧しながら搬送させることが実施されている。
【０００４】
例えば、搬送されるシートの幅とほぼ同じ幅の搬送用ローラの一対のローラの挟圧力が両端で相違させるように駆動ローラの両端の直径を異ならせ、搬送されるシートを平行に搬送させる構成である（特許文献１参照）。
また、給紙部から供給されるシートの幅規制のために設けられた固定ガイドと移動ガイドとが配置されているシート搬送装置において、移動ガイドを廃止し、片側の固定ガイドのみとして、搬送されるシートを固定ガイドの側面に対して押しつけられるように搬送されるシートの幅とほぼ同じ幅の駆動ローラの直径を固定ガイドに向かって先細く形成した給紙装置が知られている（特許文献２参照）。
更に、サーマルヘッドに接触させるカード類を搬送する装置として、搬送されるカードの幅とほぼ同じ幅のプラテンローラとして傾斜角度を具えたテーパを有するものを使用し、カードの搬送の蛇行を防止したものが知られている（特許文献３参照）。
【０００５】
【特許文献１】
実開平２−３１２５０号公報（第４〜５頁、第３図）
【特許文献２】
実開平４−８６６４１号公報（第４〜６頁、第１図
【特許文献３】
実開平６−３０８５６号公報（第４〜５頁、図４、図５）
【０００６】
【発明が解決しようとする課題】
このような従来のシート搬送装置は、シートを搬送させる上下のローラの片方、または両方を搬送方向に対して傾斜させているので、これらローラを側壁に軸設するとき傾斜させて取付けなければならなく、部品の加工性、組立て性に問題があった。また、これら搬送ローラをシートの横幅に全面に接触する駆動ローラの幅を備えてシートを挟持しながら搬送するものである。また、読取・走査処理位置に搬送する一対の駆動ローラの表面を傾斜させるのみであった。このようなシートの搬送はシートの腰が強く、厚みがあるときは固定ガイドの側面に押しつけて搬送しても皺になったり、折れ曲がることはなかったが、シートが薄い場合や腰が弱いときはシートが皺になったり、折れ曲がったりして平行に搬送されないときがあった。また、蛇行搬送の原因にもなっていた。
【０００７】
本発明は、このような従来の問題点を解決し、シートを高速搬送し、シートの厚さに関係なく、シートの斜め搬送やシートの折れ曲がりを防止して搬送するシート搬送装置を提供するものである。
本発明の課題は、記録紙などのシートを高速に読取・走査装置に確実に搬送するシートと検知センサーとの関係を一定にするシート搬送装置を提供することである。
また、本発明の他の課題は、シートの片側に接触してガイドする固定ガイドに向かってシートを押しつけて搬送する駆動ローラを複数配置し、これら複数の駆動ローラの形状を異ならせて傾斜させてシートを搬送するシート搬送装置を提供することである。
【０００８】
【課題を解決するための手段】
本発明の前記課題は、以下の構成によって達成できる。
連続して給紙テーブルからシートを給紙ローラで繰り出した後、駆動ローラからなる搬送用ローラによってこのシートを搬送し、この搬送用ローラの軸方向の片側に配置した固定ガイドに沿って読取・走査処理位置に搬送し、読取・走査処理した後、このシートを搬送用ローラによって排出部に排出するシート搬送装置において、前記シートを搬送する搬送路に配置した複数の前記搬送用ローラの各駆動ローラの形状を、給紙ローラ側から排出部にかけて配置した駆動ローラについて前記シートが搬送されながら固定ガイドの側面に対して押圧力がかかるような斜め形状にし、各駆動ローラの傾斜角度を異ならせ、排出部に近接した最後の駆動ローラによって前記シートを排出するシート搬送装置の構成である。
【０００９】
本発明の前記課題は、前記シートを搬送する搬送路に配置した複数の前記搬送用ローラのうち、給紙ローラと読取・走査処理位置との間に配置した搬送用ローラの第１駆動ローラと第２駆動ローラとの形状、または読取・走査処理位置の両側に配置した前記第２駆動ローラと第３駆動ローラとの形状を前記前記シートが搬送されながら固定ガイドの側面に対して押圧力がかかるような同一傾斜角度に傾斜せしめた円錐台形とし、前記第１駆動ローラの傾斜角度に対して第３駆によって前記シートを排出部に排出するシート搬送装置の構成によって達成できる。
【００１０】
本発明の前記課題は、前記第１駆動ローラの傾斜角度を６〜８度にし、第２、第３駆動ローラの傾斜角度を３度前後に傾斜した円錐台形にした構成、前記排出部に近接した駆動ローラの表面形状を軸方向に平行に形成した構成、及び各搬送用ローラの幅が８〜１２ｍｍとした構成によって達成できる。
【００１１】
本発明のシート搬送装置は、給紙部から繰り出されたシートを片側に立設した固定ガイドの側面に押しつけるように搬送用ローラの第１駆動ローラ、第２駆動ローラ、第３駆動ローラおよび第４駆動ローラの表面の傾斜角度を異ならせた円錐台形にし、複数段に形成してあるからシートの固定ガイドの側面に押しつける力が弱まり、薄手の紙のシートを変形させることなく排出部に安定して排出させることができる。
【００１２】
本発明のシート搬送装置は、給紙部から繰り出されたシートを固定ガイドの側面に押しつけるように搬送用ローラの第１駆動ローラから第４駆動ローラまでこれら駆動ローラの形状を個々の傾斜角度の異なるゆるやかな傾斜角度の円錐台形にしてあるからシートの厚さが薄い紙であっても固定ガイドに沿ってシートの平面性を維持して排出部に排出することができる。
【００１３】
本発明のシート搬送装置は、特に、搬送用ローラの幅が８〜１２ｍｍであるからシートが薄手の紙であっても皺の発生がなく、このシートを固定ガイドに沿って搬送し、平面性を維持して給紙部から読取・走査処理位置を通過させ、かつ、最後の駆動ローラの表面形状を軸方向に平行な形状にしてあるからて排出部にシートの平面性を維持して排出することができる。
【００１４】
【発明の実施の形態】
本発明のシート搬送装置について図面に示す実施の形態に基づいて詳細に説明する。
図１は本発明のシート搬送装置の実施形態の駆動ローラ群を配置した概略側面図である。図２は図１の全体構成を示す平面図である。図３は本発明のシート搬送装置に採用した実施形態の各駆動ローラ群の傾斜角度を示す拡大説明図である。
【００１５】
給紙部の給紙トレイ１の側板２、２の間にシート３を載置する。この給紙トレイ１の先端縁に給紙ローラ４が配置してある。この給紙ローラ４から繰り出されたシート３は、シート３の片側に立設した固定ガイド１３に沿って片側規制によって搬送される。このシート３の搬送路には重送防止ローラ６が配置してあり、上下２枚のガイド板１７，１７の間をシート３の裏面に圧接するようになっている。その下流にこの搬送用ローラの駆動ローラが所定の間隔で、複数配設してある。
【０００１６】
この搬送用ローラの駆動ローラとして一対の重送防止ローラ６に近接して第１駆動ローラ７、この下流に第２駆動ローラ８が軸設してある。この第１駆動ローラ７は傾斜角度７度のテーパが形成され、幅８〜１２ｍｍの円錐台形にしてある。この下流に配置してある第２駆動ローラ８は、図面に示す実施の形態においては傾斜角度が３度に形成してあるが、第１駆動ローラと同じく傾斜角度を７度にしてあってもよい。次に読取・走査処理装置である読取ユニット９が配置してある。この読取ユニット９の下流に傾斜角度３度の第３駆動ローラ１０が軸設してあり、排出部に配置した排紙皿１２に近接して軸設した搬送用ローラの第４駆動ローラ１１が配置してある。図面に示す実施形態ではこの第４駆動ローラ１１の表面は回転軸に平行に形成してある。
【００１７】
シート３の搬送路に配置した給紙ローラ４、重送防止ローラ及び各搬送用ローラ群はシート３の搬送路の中心より固定ガイド１３に近接して配置してある。これら搬送用ローラの駆動系統は、駆動源（図示せず）に第１駆動ローラ７の駆動プーリ７ｂに連結してある。各搬送用ローラの第１駆動ローラ７の駆動輪７ａと第２駆動ローラ８の駆動輪８ａとが無端ベルト１４が巻回してある。第２駆動ローラ８の駆動プーリ８ｂと第３駆動ローラ１０の駆動プーリ１０ｂとに無端ベルト１５を巻回し、この第３駆動ローラ１０の駆動輪１０ａと第４駆動ローラ１１の駆動輪１１ａとにはベルト１６が巻回してある。
【００１８】
本発明のシート搬送装置の操作について説明する。
給紙トレイ１に載置されたシート３は給紙ローラ４から繰り出され、重送防止ローラ６によってシート３の一枚を確認して二枚のガイド板１７，１７間に挿入され、搬送用ローラの第１駆動ローラ７へ搬送する。第１駆動ローラ７の形状が側壁５側に向かって先細く円錐台形に形成してあるからシート３は固定ガイド１３の側面に押圧されながら進行することになり、シート３は次の第２駆動ローラ８によって読取ユニット９へ給送される。読取ユニット９を通過したシート３は傾斜角度が小さい第３駆動ローラ１０によって搬送され、第４駆動ローラ１１によって排出皿１２に排出される。
【００１９】
このように図３に示されるように給紙ローラから排出皿１２の間に配置した各駆動ローラにおいて段階的に傾斜角度を異ならせてある。（ａ）第４駆動ローラ１１の平面図で、図面に示す実施例ではこのローラ周面は軸に平行に形成してある。（ｂ）は第３駆動ローラ１０および第２駆動ローラを示し、（ｃ）は第１駆動ローラを示してある。このような駆動ローラ群によってシート３が薄手の紙であっても皺にならず確実に搬送される。
【００２０】
【発明の効果】
この発明のシート搬送装置は、記録紙、複写紙やマークシートのシートを給紙トレイから繰り出された駆動源により回転する一対の搬送用ローラの駆動ローラ群を円錐台形に形成してあるからシートの搬送路の片側に配置した固定ガイドに沿ってシートを確実に搬送することができる。特に、薄手シートにおいてもシートを皺の発生もなく、排出部に排紙することができる。
【図面の簡単な説明】
【図１】本発明のシート搬送装置の実施形態の駆動ローラ群を配置した概略側面図である。
【図２】図１の全体構成を示す平面図である。
【図３】本発明のシート搬送装置に採用した実施形態の各駆動ローラ群の傾斜角度を示す拡大説明図である。
【符号の説明】
１  …給紙トレイ
２  …側板
３  …シート
４  …給紙ローラ
５  …側壁
６  …重送防止ローラ
７  …第１駆動ローラ
８  …第２駆動ローラ
９  …読取ユニット
１０  …第３駆動ローラ
１１  …第４駆動ローラ
１２  …排紙皿
１３  …固定ガイド
１４  …無端ベルト
１５  …  ベルト
１６  …  ベルト
１７  …  ガイド板
【図１】
2004161486.tif 000003
【図２】
2004161486.tif 000004
【図３】
2004161486.tif 000005